【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
増幅器システムであって、
入力パルス信号を受信し、前記入力パルス信号に基づいて基準電圧パルスを生成するように構成される入力段と、
少なくとも１つの電源電圧を受け取る増幅器段であって、前記基準電圧パルスを増幅し、前記基準電圧パルスの振幅に起因する前記少なくとも１つの電源電圧の振幅の変化に基づいて前記増幅された基準電圧パルスのパルスシェーピングを提供する、ように構成される、前記増幅器段と、
を含み、
前記増幅された基準電圧パルスの前記パルスシェーピングが、第１の時間期間の間における第１の振幅から第２の振幅までの前記増幅された基準電圧パルスの振幅の第１の増大と、前記第１の時間期間に続く第２の時間期間における前記第２の振幅から第３の振幅までの前記増幅された基準電圧パルスの振幅の第２の増大とを含み、前記第２の増大が前記第１の増大より大きい、増幅器システム。
【請求項２】
請求項１に記載の増幅器システムであって、
前記増幅器段が、ＡＢ級増幅器を含み、前記ＡＢ級増幅器が、前記増幅された基準電圧パルスが提供される出力ノードによって相互接続される第１のトランジスタデバイスと第２のトランジスタデバイスとを含み、
前記増幅器段が、前記基準電圧パルスの前記振幅の増大に基づく前記第１及び第２のトランジスタデバイスのそれぞれに関連付けられる抵抗の変化に起因する前記少なくとも１つの電源電圧の振幅の前記変化に基づいて前記増幅された基準電圧パルスのパルスシェーピングを提供するように更に構成される、増幅器システム。
【請求項３】
請求項２に記載の増幅器システムであって、
前記少なくとも１つの電源電圧が、
前記第１のトランジスタデバイスを介して前記出力ノードに結合される電力供給電圧と、
前記第２のトランジスタデバイスを介して前記出力ノードに結合される低ドロップアウト電圧と、
を含み、
前記増幅器段が、前記基準電圧パルスの振幅における前記増大に基づく前記第２のトランジスタデバイスに関連付けられる抵抗の変化に起因する前記低ドロップアウト電圧のオーバーシュート振幅に基づいて、前記増幅された基準電圧パルスのパルスシェーピングを提供するように更に構成される、増幅器システム。
【請求項４】
請求項２に記載の増幅器システムであって、
出力段であって、
前記出力ノードと前記増幅器システムの出力とを相互接続し、前記増幅された基準電圧パルスに対応するシェーピングされた出力電圧パルスを提供するように構成されるバック・ツー・バックトランジスタデバイス対と、
前記増幅された基準電圧パルスの振幅に基づいて前記バック・ツー・バックトランジスタデバイス対を制御するように構成される適応性ゲートバイアスシステムと、
を含む、前記出力段を更に含む、増幅器システム。
【請求項５】
請求項２に記載の増幅器システムであって、
前記増幅器段が、第１の電圧を介して前記第１のトランジスタデバイスを制御し、第２の電圧を介して前記第２のトランジスタデバイスを制御する、ように構成される高電圧増幅器を更に含み、
前記第１及び第２の電圧の各々が前記基準電圧パルスに基づく、増幅器システム。
【請求項６】
請求項１に記載の増幅器システムであって、
前記入力段が、基準電圧を介してコンデンサを充電し、前記基準電圧パルスを生成するため前記コンデンサを放電するように、前記入力パルス信号を介して交互に活性化されるスイッチの対を含む、増幅器システム。
【請求項７】
周辺センサインタフェース（ＰＳＩ）システムであって、
ＰＳＩトランシーバを含み、
前記ＰＳＩトランシーバが、前記増幅された基準電圧パルスに基づいてシェーピングされた出力電圧パルスを生成するように、請求項１に記載の増幅器システムを含む、ＰＳＩシステム。
【請求項８】
請求項７に記載のＰＳＩシステムであって、
前記少なくとも１つの電源電圧の第１の電源電圧を生成するように構成される第１の電源と、
前記少なくとも電源電圧の第２の電源電圧を生成するように構成される低ドロップアウト電源と、
を更に含み、
前記増幅器段が、前記基準電圧パルスの振幅の増大に起因する前記第２の電源電圧の振幅の変化に基づいて、前記増幅された基準電圧パルスのパルスシェーピングを提供するように構成される、ＰＳＩシステム。
【請求項９】
請求項７に記載のＰＳＩシステムであって、
前記シェーピングされた出力電圧パルスに応答して時分割多重方式で動作するように構成される複数の周辺センサを更に含む、ＰＳＩシステム。
【請求項１０】
シェーピングされた出力電圧パルスを生成するための方法であって、
入力パルス信号に基づいて基準電圧パルスを生成するために前記入力パルス信号を入力段に提供することと、
前記基準電圧パルスを増幅するために第１の電源電圧を増幅器段に提供することであって、前記増幅器段が、前記増幅された基準電圧パルスが提供される出力ノードにより相互接続される第１のトランジスタデバイスと第２のトランジスタデバイスとを含む、前記第１の電源電圧を増幅器段に提供することと、
第２の電源電圧を前記増幅器段に提供することであって、前記第２の電源電圧が、前記シェーピングされた出力電圧パルスが基づく前記増幅された基準電圧パルスのパルスシェーピングを提供するために前記基準電圧パルスの前記振幅の増大に基づいて前記第１及び第２のトランジスタデバイスのそれぞれに関連付けられる抵抗の変化に応答して変化する振幅を有する、前記第２の電源電圧を前記増幅器段に提供することと、
を含み、
前記増幅された基準電圧パルスの前記パルスシェーピングが、第１の時間期間の間における第１の振幅から第２の振幅までの前記増幅された基準電圧パルスの振幅の第１の増大と、前記第１の時間期間に続く第２の時間期間の間における前記第２の振幅から第３の振幅までの前記増幅された基準電圧パルスの振幅の第２の増大とを含み、前記第２の増大が前記第１の増大より大きい、方法。
【請求項１１】
請求項１０に記載の方法であって、
前記第１の電力供給電圧を提供することが、チャージポンプとブースト電力コンバータとの一方を介して前記第１の電力供給電圧を提供することを含み、
前記第２の電力供給電圧を提供することが、低ドロップアウト電力供給を介して前記第２の電力供給電圧を提供することを含む、方法。
【請求項１２】
請求項１０に記載の方法であって、
前記入力パルス信号を提供することが、前記入力パルス信号を前記入力段に提供することを含み、
前記入力段が、基準電圧を介してコンデンサを充電し、前記基準電圧パルスを生成するために前記コンデンサを放電するように、前記入力パルス信号を介して交互に活性化されるスイッチの対を含む、方法。
【請求項１３】
請求項１０に記載の方法であって、
周辺センサインタフェース（ＰＳＩ）規格に従って前記シェーピングされた出力電圧パルスに応答して時分割多重方式で複数の周辺センサを活性化することを更に含む、方法。
【請求項１４】
増幅器システムであって、
入力パルス信号を受信し、前記入力パルス信号に基づいて基準電圧パルスを生成する、ように構成される入力段と、
ＡＢ級増幅器を含む増幅器段であって、前記ＡＢ級増幅器が、前記基準電圧パルスに対応する増幅された基準電圧パルスが提供される出力ノードを介して相互接続される第１のトランジスタデバイスと第２のトランジスタデバイスとを含み、前記第１及び第２のトランジスタデバイスが、それぞれ、第１の電源電圧と第２の電源電圧との間に配置され、前記第２の電源電圧が、前記増幅された基準電圧パルスのパルスシェーピングを提供するために前記基準電圧パルスの前記振幅の増大に基づいて前記第２のトランジスタデバイスに関連付けられる抵抗の変化に応答して変化する振幅を有する、前記増幅器段と、
を含み、
前記増幅された基準電圧パルスの前記パルスシェーピングが、第１の時間期間の間における第１の振幅から第２の振幅までの前記増幅された基準電圧パルスの振幅の第１の増大と、前記第１の時間期間に続く第２の時間期間の間における前記第２の振幅から第３の振幅までの前記増幅された基準電圧パルスの振幅の第２の増大とを含み、前記第２の増大が前記第１の増大より大きい、増幅器システム。
【請求項１５】
請求項１４に記載の増幅器システムであって、
出力段であって、
前記出力ノードと前記増幅器システムの出力とを相互接続し、前記増幅された基準電圧パルスに対応するシェーピングされた出力電圧パルスを提供するように構成されるバック・ツー・バックトランジスタデバイス対と、
前記増幅された基準電圧パルスの振幅に基づいて前記バック・ツー・バックトランジスタデバイス対を制御するように構成される適応性ゲートバイアスシステムと、
を含む、前記出力段を更に含む、増幅器システム。
【請求項１６】
請求項１４に記載の増幅器システムであって、
前記入力段が、基準電圧を介してコンデンサを充電し、前記基準電圧パルスを生成するために前記コンデンサを放電するように、前記入力パルス信号を介して交互に活性化されるスイッチの対を含む、増幅器システム。
【請求項１７】
周辺センサインタフェース（ＰＳＩ）システムであって、
ＰＳＩトランシーバを含み、
前記ＰＳＩトランシーバが、シェーピングされた出力電圧パルスに応答して時分割多重方式で複数の周辺センサを活性化するために前記入力パルス信号に応答して前記増幅された基準電圧パルスに基づいて前記シェーピングされた出力電圧パルスを生成するように、請求項１４に記載の増幅器システムを含む、ＰＳＩシステム。